(57)【要約】【課題】培養土を粒度で選別するような篩作業が簡単且つ軽快に行えるようにし、また選別した培養土を確実に回収できて周辺を汚さないようにできるものを創案する。【解決手段】篩２とトレー３とを有するガーデニング用篩装置を開発した。トレー３には篩２をその網部３３よりも外側で支持しつつ直線的な摺動を案内するガイドレール２５が設けられ、篩２にはトレー３のガイドレール２５に係合可能なガイドシュー部３７Ａ，３７Ｂ，３７Ｃ，３７Ｄが設けられている。【選択図】図１
0003121119.tif 000002
【実用新案登録請求の範囲】
【請求項１】
培養土を入れる土入れ凹部（３０）の底に粒度選別用の網部（３３）が設けられた篩（２）と、少なくともこの篩（２）によって選別された培養土を受け入れる土溜め凹部（１２）が設けられたトレー（３）とを有し、トレー（３）には篩（２）をその網部（３３）よりも外側で支持しつつ直線的な摺動を案内するガイドレール（２５）が設けられ、篩（２）にはトレー（３）のガイドレール（２５）に係合可能なガイドシュー部(３７Ａ）（３７Ｂ）（３７Ｃ）（３７Ｄ）が設けられていることを特徴とするガーデニング用篩装置。
【請求項２】
前記トレー（３）のガイドレール（２５）は互いに平行する２本一組として設けられており、篩（２）のガイドシュー部(３７Ａ，３７Ｃ）（３７Ｂ，３７Ｄ）も、２本のガイドレール（２５）のレール間隔に対応する二面幅をおいて配された２個一組として設けられていることを特徴とする請求項１記載のガーデニング用篩装置。
【請求項３】
前記トレー（３）は、土いじり空間（５）を全周から取り囲む状態に設けられた周壁体（６）と、土いじり空間（５）の下部を仕切る状態で上記周壁体（６）内に設けられる底板（７）とを有しており、周壁体（６）を形成するうち土いじり空間（５）を挟んで対向する一対の壁部（６ａ，６ａ）相互間にはそれらの壁部（６ａ，６ａ）の長手方向中間部同士を連結する仕切り板（１０）が設けられ、この仕切り板（１０）の両側において当該仕切り板（１０）と対向している周壁体（６）の他の二つの壁部（６ｂ，６ｂ）との間に形成される二つの区画領域によりそれぞれ前記土溜め凹部（１２）が形成されており、少なくとも一方の土溜め凹部（１２）を形成する仕切り板（１０）と壁部（６ｂ）との各上部で前記２本一組のガイドレール（２５）が形成されていることを特徴とする請求項２記載のガーデニング用篩装置。
【請求項４】
前記トレー（３）において、仕切り板（１０）は周壁体（６）に対して着脱自在とされていることを特徴とする請求項３記載のガーデニング用篩装置。
【請求項５】
前記篩（２）には土入れ凹部（３０）に対する外方へ突出した把手部（３５）が設けられていることを特徴とする請求項１乃至請求項４のいずれかに記載のガーデニング用篩装置。
【請求項６】
前記篩（２）のガイドシュー部は、２個一組となるもの(３７Ａ，３７Ｃ）と、これらに平面視直交関係を有して設けられる他の２個一組となるもの（３７Ｂ，３７Ｄ）とで、合計二組設けられていることを特徴とする請求項５記載のガーデニング用篩装置。
【考案の詳細な説明】
【技術分野】
【０００１】
本考案は、ガーデニング用篩装置に関するものである。
【背景技術】
【０００２】
ガーデニングにおいて、複数種の土や肥料を混ぜ合わせて所望成分の培養土を作る作業をするため、トレーを使うことは広く知られたところである。この種のトレーは、マンションのベランダをはじめ、場合によっては屋内での土いじりにも好適に使用される。
一方、植栽する植物によっては培養土の粒度を選別する必要が生じる場合があり、篩を使った篩作業をすることになるが、この篩作業でも上記したトレーは無くてはならないものとなる（例えば、特許文献１等参照）。なお、篩は円形をした周壁の底に網が張られたもので、周壁を両側から両手で挟むように持ち、前後又は左右に略水平状態で揺するようにして使用することは周知である。
【特許文献１】特開平１１−２３５１３１号公報
【考案の開示】
【考案が解決しようとする課題】
【０００３】
篩を使った篩作業は、多くの場合、中途半端にしゃがんだ姿勢（中腰の状態）で行うものであり、また両手が篩を持つことに専念されるために、作業者は自らの姿勢を支えることができない。加えて、篩中に入れた培養土の重さに揺すり動作の慣性も付加されるといったことが複合的に起こることから、十分な熟練と体力とが必要であり、余程のコツを掴まないと非常にやりにくいということがあった。そのため女性や高齢者などには不向きとされる。
【０００４】
また、このように篩を使った篩作業は使用者の姿勢が安定しないだけでなく、揺すり幅を常に一定に保つということができないので、ふるい落とした培養土がその下方へ置いたトレーへ全て回収されるとは限らない。すなわち、周辺に培養土がこぼれて汚れてしまうという問題点があった。
本考案は、上記事情に鑑みてなされたものであって、培養土を粒度で選別するような篩作業が簡単且つ軽快に行え、しかも選別した培養土を確実に回収できて周辺を汚さないようにできるガーデニング用篩装置を提供することを目的とする。
【課題を解決するための手段】
【０００５】
前記目的を達成するために、本考案は次の手段を講じた。
即ち、本考案に係るガーデニング用篩装置は、培養土を入れる土入れ凹部の底に粒度選別用の網部が設けられた篩と、少なくともこの篩によって選別された培養土を受け入れる土溜め凹部が設けられたトレーとを有し、トレーには篩をその網部よりも外側で支持しつつ直線的な摺動を案内するガイドレールが設けられ、篩にはトレーのガイドレールに係合可能なガイドシュー部が設けられている。
【０００６】
このような構成であると、トレーのガイドレールに篩のガイドシュー部を係合させるようにしてトレー上に篩を預け置き、このままの状態で篩を直線的に往復移動させることができる。すなわち、この直線的な往復移動は篩の揺すり動作となるので、結果、トレー上に篩を預け置いたままで、培養土を粒度で選別する篩作業ができるものである。
これであれば作業者は、トレーを支えとして安定した姿勢をとることができるし、重い篩を持ち上げる必要はないことから、篩作業が簡単且つ軽快に行える。しかも、この篩作業中、ガイドレールとガイドシュー部との係合により、篩はトレー上から逸脱しないように保持できるため、篩から選別され落下する培養土は確実にトレーの土溜め凹部に回収できることになり、周辺を汚さないようにできる。
【０００７】
トレーのガイドレールを互いに平行する２本一組として設け、篩のガイドシュー部も、２本のガイドレールのレール間隔に対応する二面幅をおいて配された２個一組として設けるのが好適である。
このようにすることで、ガイドレールを１本だけとし且つガイドシュー部を１個だけとする場合の係合状態に比べ、ガイドレールとガイドシュー部との係合を外れ難くでき、篩作業中において、篩がトレー上から逸脱しないように保持できる効果も高くなる。
【０００８】
トレーは、土いじり空間を全周から取り囲む状態に設けられた周壁体と、土いじり空間の下部を仕切る状態で上記周壁体内に設けられる底板とを有したものとし、周壁体を形成するうち土いじり空間を挟んで対向する一対の壁部相互間には、それらの壁部の長手方向中間部同士を連結する仕切り板が設けられたものとすることができる。
この場合、この仕切り板の両側において当該仕切り板と対向している周壁体の他の二つの壁部との間に形成される二つの区画領域により、それぞれ前記土溜め凹部が形成されるものとすればよい。また、少なくとも一方の土溜め凹部を形成する仕切り板と壁部との各上部で、２本一組のガイドレールを形成させればよい。
【０００９】
このような仕切り板は、周壁体に対して着脱自在とするのが好適である。すなわち、仕切り板を外せば、トレーは大容積の土いじり空間を有したものとなり（土溜め凹部の２倍の容積）、篩作業以外（例えば大型のプランターを反転させながらの植え替え作業等）にも便利に使用できる。
篩には、土入れ凹部に対する外方へ突出した把手部を設けることができる。
【００１０】
このように把手部を設けると、篩の持ち上げをはじめとして、篩作業（篩を揺する動作）等が一層容易に行える。また篩の周壁を持たなくてよいため、篩作業中に誤って指先がを篩の中へ入ってしまうこともなく、手が汚れる不具合を防止することができる。
篩のガイドシュー部は、２個一組となるものと、これらに平面視直交関係を有して設けられる他の２個一組となるものとで、合計二組設けることができる。
【００１１】
このようにすると、トレーに対して篩を預け置くときの向き、即ち、把手部が突出する向きを、使用者の所望するところに応じて任意に選択できることになり、便利である。
【考案の効果】
【００１２】
本考案に係るガーデニング用篩装置では、培養土を粒度で選別するような篩作業が簡単且つ軽快に行え、しかも選別した培養土を確実に回収できて周辺を汚さないようにできる。
【考案を実施するための最良の形態】
【００１３】
以下、本考案の実施の形態を、図面に基づき説明する。
図１乃至図１０は、本考案に係るガーデニング用篩装置１の一実施形態を示している。図１乃至図４に示すように、このガーデニング用篩装置１は篩２とトレー３とを有しており、これらを各独立して使用できることは当然のこととして、これら両者を組み合わせて使用することによって特有の作用効果を得ることができる。
【００１４】
トレー３（図５乃至図７を併せて参照）は、土いじり空間５を全周から取り囲む状態に設けられた周壁体６と、土いじり空間５の下部を仕切る状態で周壁体６の下部に一体的に設けられる底板７とを有しており、周壁体６の上周部には、その全周から外方へ張り出して全体平面視形状が枠状を成すフランジ部８が設けられている。
本実施形態において周壁体６は、開口幅Ｗ（図１参照）が５０００ｍｍ、開口奥行きＬが５３００ｍｍ、底板７までの深さｔが１１０ｍｍの平面視四角形状の箱枠形に形成されたものとしてある。これほどの開口大きさを有するため、例えば大型のプランターを反転させながらの植え替え作業等にも便利に使用できる。
【００１５】
また、奥行き方向における一方の壁部６ａは船底形状の舳先側のように徐々に浅くなる形状とされ、土いじり空間５内の培養土を取り出すときに便利なようにしてある。なおこれらは限定されるものではなく、周壁体６を平面視円形や長円、楕円などの短筒形状としてもよく、開口大きさも種々様々な寸法とすればよい。
周壁体６や底板７、フランジ部８は、例えばポリプロピレン等の樹脂によって形成すればよく、フランジ部８の張出側を下方へ折り返す形状（図４参照）として、フランジ部８自体や周壁体６、ひいてはトレー３全体としての剛性を高めればよい。
【００１６】
このトレー３には仕切り板１０が付属されている。この仕切り板１０は、周壁体６を形成するうち土いじり空間５を挟んで奥行き方向で対向する一対の壁部６ａ相互間を、それらの壁部６ａの長手方向中間部同士で連結するように設けられる。
そのため土いじり空間５の幅方向において、この仕切り板１０の両側に、当該仕切り板１０と対向する周壁体６の他の二つの壁部６ｂとの間で、二つの区画領域が形成されるようになる。これら各区画領域の少なくとも一方が、篩２によって選別された培養土を受け入れるための土溜め凹部１２として使用される。
【００１７】
本実施形態では、奥行き方向で対向する一対の壁部６ａに対し、それらの長手方向中心に仕切り板１０が位置付けられるようにしてあり、結果、二つの区画領域が同じ開口大きさを有したものとなっている。従って、これら二つの区画領域が共に土溜め凹部１２として使用可能になっている。
仕切り板１０は、周壁体６に対して着脱自在となっている。このため図７に示すように周壁体６において、仕切り板１０との連結部分となる壁部６ａにはフランジ部８を一部切除して形成した嵌合凹部１５，１６が設けられており、また図６に示すように仕切り板１０には、嵌合凹部１５とガタツキ無く嵌合する鉤フック部１７、及び嵌合凹部１６とガタツキ無く嵌合する鉤フック部１８が設けられている。
【００１８】
嵌合凹部１５，１６にはねじ通孔２０，２１が設けられ、鉤フック部１７，１８にも各ねじ通孔２０，２１に合致するねじ通孔（図示略）が設けられているので、嵌合凹部１５と鉤フック部１７、嵌合凹部１６と鉤フック部１８をそれぞれ嵌合させた状態で、各ねじ通孔２０，２１を使って蝶ねじ２２を差し込み、突き出たねじ部分へ蝶ナット２３を螺合させることで周壁体６と仕切り板１０とを結合できるようになっている。
【００１９】
仕切り板１０は、周壁体６における幅方向両側の壁部６ｂと相似形をしたもので、周壁６ａの内面や底板７の上面に対して隙間無く接触可能になっており、両側へ区画する土溜め凹部１２の相互間で培養土の移動が起こらないようにしてある。この仕切り板１０は、周壁体６や底板７、フランジ部８と同様にポリプロピレン等の樹脂によって形成すればよく、断面形状をＩ型にする（図４参照）といったことで剛性アップと素材樹脂の低コスト化、並びに軽量化を図ればよい。
【００２０】
なお、言うまでもなく、仕切り板１０を外せば、トレー２は大容積の土いじり空間５（図７参照）を有したものとなり、上記したように大型のプランターを反転させながらの植え替え作業等にも便利に使用できる。
このような構成のトレー３において、個々の土溜め凹部１２を形成する仕切り板１０と壁部６ｂとの各上縁部は、篩２に対して、互いに平行する２本一組のガイドレール２５を形成している。
【００２１】
篩２（図８乃至図１０を併せて参照）は、培養土を入れる土入れ凹部３０を全周から取り囲む状態に設けられた周壁体３１と、土入れ凹部３０の下部を仕切る状態で周壁体３１の下部に一体的に設けられる底板３２とを有しており、この底板３２に粒度選別用の網部３３が設けられている。本実施形態において周壁体３１は、開口内径が３０００ｍｍ、底板３２までの深さが５０ｍｍの平面視円形状に形成されたものとしたが、平面視長円、楕円、四角形などとしてもよく、開口大きさも種々様々な寸法とすればよい。
【００２２】
網部３３の網孔は図例では角孔としているが、丸孔でもよいし、勿論、線材を交差させて形成した編み目でもよい。また網部３３の目開き（各孔の孔径）は、サイズの異なるものを篩２全体として、或いは底板３２の交換パーツとして、複数種、準備しておけばよい。
またこの篩２には、土入れ凹部３０に対する外方へ突出するようにして把手部３５が設けられている。この把手部３５の配置や形成数、形状などは特に限定されるものではない。
【００２３】
底板３２の下面には、これを平面視したとき（図９参照）に、全体としては略正方形状でありながらその四隅を緩いカーブに変形させたような枠形に見える脚リブ３６が設けられている。この脚リブ３６は網部３３を縁取る配置となっており、この網部３３及び底板３２の全体としての補強となっているが、トレー３のガイドレール２５に係合するためのガイドシュー部３７（本実施形態では４個あり説明の便宜上、３７Ａ，３７Ｂ，３７Ｃ，３７Ｄとする）を構成する役目をも有している。
【００２４】
すなわち、この脚リブ３６において、正方形の各辺より四隅の緩いカーブ部分は枠外方へ膨れるようになっており、一つ一つの辺で観察すれば、その辺の長手方向両端部となる２箇所が側方へ膨出状態となっていることになる。この２箇所が共同して１個のガイドシュー部（例えば３７Ａとか３７Ｂ等）を形成することになる。
そして、脚リブ３６において相対向する二辺を観察するとき、それらの辺に形成される２個のガイドシュー部（３７Ａと３７Ｃ、或いは３７Ｂと３７Ｄ）は、トレー３における２本のガイドレール２５のレール間隔に対応する二面幅の相当した間隔で形成されており、これら２本で一組の組み合わせとなって、ガイドレール２５の相互間にガタツキなく嵌まるようになっている。
【００２５】
結果として、この脚リブ３６により、２個一組のガイドシュー部３７Ａと３７Ｃ、及び３７Ｂと３７Ｄが、合計二組、設けられていることになり、これら各組は互いに平面視直交する配置関係となっている。なお、一方の組であるガイドシュー部３７Ｂと３７Ｄは、周壁体３１に対する把手部３５の突出方向に平行する配置となっており、これらに対して他方の組であるガイドシュー部３７Ａと３７Ｃは、把手部３５の突出方向に直交する配置となっている。
【００２６】
上記したように、これらガイドシュー部３７Ａ，３７Ｂ，３７Ｃ，３７Ｄを構成する脚リブ３６は網部３３を縁取る配置となっているので、トレー３において、ガイドレール２５は篩２をその網部３３よりも外側で支持する配置であることが判る。
本実施形態では、底板３２の下面に上記した脚リブ３６とは別に、円弧状の低いリブ４０を設けてあり、２個一組のガイドシュー部３７Ａと３７Ｃ、或いは３７Ｂと３７Ｄをトレー２のガイドレール２５へ係合させたとき、これら低いリブ４０がガイドレール２５上へ載るようにした。これにより接触抵抗が小さく抑えられ、篩３の摺動を軽快に行えることになる。
【００２７】
以上詳説したように本考案に係るガーデニング用篩装置１では、図１乃至図４に示すように、トレー３のガイドレール２５に篩２のガイドシュー部３７Ａと３７Ｃ、或いは３７Ｂと３７Ｄを係合させるようにしてトレー３上に篩２を預け置き、このままの状態で篩２を直線的に往復移動させることができる。
そのため、トレー３上に篩２を預け置いたままで培養土を粒度で選別する篩作業（篩３の揺すり動作）ができ、作業者は、トレー２を支えとして安定した姿勢をとることができるし、重い篩３を持ち上げる必要はないことから、篩作業が簡単且つ軽快に行える。
【００２８】
しかも、この篩作業中、篩３はトレー２上から逸脱することがないため、篩３から選別され落下する培養土は確実にトレー２の土溜め凹部１２に回収できることになり、周辺を汚すおそれもない。
篩２に把手部３３が設けられているため、この篩２の持ち上げは極めて容易であり、また篩作業（篩を揺する動作）も一層容易に行える。そのため篩作業中に誤って指先がを篩３の中へ入ってしまうこともなく、手が汚れる不具合を防止することができる。
【００２９】
ところで、本考案は上記実施形態に限定されるものではなく、実施の形態に応じて適宜変更可能である。
【図面の簡単な説明】
【００３０】
【図１】本考案に係るガーデニング用篩装置の一実施形態を示した斜視図である。
【図２】図１に対応する平面図である。
【図３】図２の状態から篩の向きを変えた状態に変更して示した平面図である。
【図４】図２のＡ−Ａ線拡大断面図である。
【図５】図２と同一視点でトレーのみを抽出して示した平面図である。
【図６】図５の右側面図である。
【図７】図５と同一視点で仕切り板を外した状態にして示した平面図である。
【図８】図２と同一視点で篩のみを抽出し拡大して示した平面図である。
【図９】図８に対応する裏面図である。
【図１０】図８の右側面図である。
【符号の説明】
【００３１】
１  ガーデニング用篩装置
２  篩
３  トレー
５  土いじり空間
６  トレーの周壁体
６ａ  壁部
６ｂ  壁部
７  トレーの底板
１０  仕切り板
１２  土溜め凹部
２５  ガイドレール
３０  土入れ凹部
３３  網部
３５  把手部
３７Ａ  ガイドシュー部
３７Ｂ  ガイドシュー部
３７Ｃ  ガイドシュー部
３７Ｄ  ガイドシュー部
【図１】
0003121119.tif 000003
【図２】
0003121119.tif 000004
【図３】
0003121119.tif 000005
【図４】
0003121119.tif 000006
【図５】
0003121119.tif 000007
【図６】
0003121119.tif 000008
【図７】
0003121119.tif 000009
【図８】
0003121119.tif 000010
【図９】
0003121119.tif 000011
【図１０】
0003121119.tif 000012